【手続補正書】
【提出日】平成16年9月9日(2004.9.9)
【手続補正１】
【補正対象書類名】明細書
【補正対象項目名】全文
【補正方法】変更
【補正の内容】
【書類名】            明細書
【発明の名称】        切り花の輸送用装置
【特許請求の範囲】
【請求項１】
切り花を収容し輸送に供する輸送容器と、該輸送時に輸送容器内において切り花の切り口に給水する給水手段を備えた切り花の輸送用装置において、上記給水手段として上記輸送容器内の一端に防水器材を収容し、該防水器材を柔軟性を有する袋状の容器にて形成し、該袋状容器内に水を注入し、該袋状容器の上部を係止器材を介して輸送容器に固定し、上記袋状容器内の水を該袋状容器内に挿入した切り花の切り口へ給水する構成としたことを特徴とする切り花の輸送用装置。
【発明の詳細な説明】
【発明が属する技術分野】
【０００１】
本発明は、花卉分野における、特に切り花を小売店や卸会社等に鮮度を維持して輸送できる切り花の輸送用装置に関するものである。
【従来の技術】
【０００２】
切り花は、採花から数日後に小売店等に並べられるが、この数日間が輸送される日数で最も鮮度の維持が難しい。そのため、生花を生産者から卸会社または小売店に出荷するのに、鮮度を維持するためにウレタンフォーム等を装着した給水ユニットを使用したり、バケットを使用して輸送することが行われている。
【０００３】
【発明が解決しようとする課題】
しかし、一般的には給水ユニットに給水した水が漏れ出ないようにするために、輸送容器の下方側に給水ユニットを設け、切り花を垂直状に立てた状態とするために輸送容器を立てて運搬車に積み込まねばならないので、輸送量に制約が生じて運搬スペースに無駄が生じ、大量の切り花を運搬することができなくて、コスト高となり、かつ手間がかかるものであった。
【０００４】
また、切り花の切り口部を水を含ませた紙に包み、さらに防水フィルムシートに包んで梱包して横積みすることも行われているが、紙や防水フィルムシートでの梱包作業が煩雑で、これも大量の切り花の輸送では手間がかかってしまうため困難である。
【０００５】
一方、バケット輸送には水がこぼれる恐れがあり、商品どうしの摩擦により花が痛みやすいため、一般の輸送会社は取り扱わない。しかも、包装箱がない為、産地のブランド力を低下させる。
【課題を解決するための手段】
【０００６】
本発明は、上記のような点に鑑みたもので、上記の課題を解決するために、切り花を収容し輸送に供する輸送容器と、該輸送時に輸送容器内において切り花の切り口に給水する給水手段を備えた切り花の輸送用装置において、上記給水手段として上記輸送容器内の一端に防水器材を収容し、該防水器材を柔軟性を有する袋状の容器にて形成し、該袋状容器内に水を注入し、該袋状容器の上部を係止器材を介して輸送容器に固定し、上記袋状容器内の水を該袋状容器内に挿入した切り花の切り口へ給水する構成とした。
【発明の実施の態様】
【０００７】
以下本発明に係る切り花の輸送用装置の実施の態様を図１乃至図３に基づいて説明する。
【０００８】
上記切り花１の輸送用装置２は、切り花１を収容し輸送に供する輸送容器６と、該輸送時に輸送容器６内において切り花１の切り口４に給水する給水手段を備えた切り花の輸送用装置２であり、この給水手段として上記輸送容器６内の一端に防水器材７を収容し、該防水器材７を柔軟性を有する袋状の容器にて形成し、該袋状容器内に水１３を注入し、該袋状容器の上部を係止器材８を介して輸送容器６に固定し、上記袋状容器内の水１３を該袋状容器内に挿入した切り花１の切り口４へ給水する構成とした。
【０００９】
上記切り花１の輸送用装置２は、図１のように所定の長さに切り揃えた切り花１の茎３の切り口４を保水材５に挿し込んで輸送容器６に収容し、輸送容器６をトラック等の運送車に横積みして積載効率よく輸送できるようにしている。
【００１０】
上記保水材５の外周部は、図１、図２のように防水器材７で被覆するように保水材５を防水器材７の内側に装着するようにし、輸送容器６を運送車に横積みしたとき、充分に充填した水分が保水材５から染み出しても輸送容器６に漏れないようにしている。
【００１１】
保水材５としては、不織布や吸水性スポンジ等を所定の大きさに形成し、防水器材７の中に装着して、保水材５に充分に水１３を含ませて輸送容器６に収容しておけるようにしている。
【００１２】
保水材５は、図１、図２のように防水器材７に収納されるようにし、この防水器材７の上部は係止器材８に水密的に配設する、万が一輸送用装置２が横倒れになっても、水１３は重力によって、容器の下部に流れ込み、水漏れがなく輸送できるようにしているものである。
【００１３】
防水器材７は、柔軟性のある防水紙袋状容器、或はリサイクル可能なペット樹脂容器もしくはプラスティック容器とする。
【００１４】
防水器材７は、柔軟性のある容器のため、産地従来の包装箱を改造せず対応可能、そのため、産地のブランド力を低下させないことが出来る。
【００１５】
しかも、産地の従来の段ボールの使用によって、取り扱い格納しやすく、エアカーゴなど長距離輸送も可能である。このように鮮度を維持できて輸送する切り花を運搬による損傷から保護できる。
【００１６】
更に、従来の段ボールに差込むだけなので、荷造りに手間がかからない、利便性高く、コストダンが図れ、産地の競争力を高めることができる。
【００１７】
上記係止器材８も、防水器材７と同じ防水紙やリサイクル可能なペット樹脂もしくはプラスティックに形成されるものとする。
【００１８】
図１、図２のように係止器材８の適宜の位置に枕状のクッション１２を設置し、輸送容器６を横積みしても切花１が損傷しないことができる。
【００１９】
また、係止器材８の側面の適宜の位置に突起やフック、ベルベットファスナー等の係止具９、１０を適宜数配設し、これに対向した輸送容器６の側面や底面に開孔やフック、ベルベットファスナー等の被係止具１１を適宜数配設して、これらの係止具９、１０を被係止具１１に簡単に係止して、輸送容器６に防水器材７を固定することができる。
【００２０】
図１のように防水器材７を袋状のものとしたが、図３（ａ），（ｂ）に示すように、膨縮可能や折り畳み可能なジャバラ状の容器でも可能であり、したがって、保管・リサイクル時などに折り畳むことができる。
【００２１】
なお、上記係止器材８は、防水器材７と一体的に成形することで量産化できコストダウンも図れる、また分離結合自在に形成して、リサイクル型も可能である。
【００２２】
さらに、上記した防水器材７中の水１３に鮮度保持剤の前処理剤を添加しておくこともでき、生産者等が直接に前処理剤に触れて手荒れする不快感が生じるのを防止することができ、かつ切り花の出荷処理を迅速に行なえて出荷コストの削減をはかるようにすることができる。
【００２３】
また、上記した防水器材７はペットボトル等と同じ樹脂材とし、リサイクル可能な環境にやさしくできるものである。
【００２４】
実施例として上記花１の防水器材７は、図２のように防水性紙袋で３００ｍｍ幅×１５０ｍｍ奥行×２００ｍｍ高さの寸法に形成している。そして、図１、図２のように係止器材８に突起の係止具９、１０をそれぞれ設置し、横幅が同じ輸送容器６のその対応個所に設置した開孔の被係止具１１に挿入したり、係止突部の被係止具１１に輪ゴム等で係止して防水器材７、係止器材８を固定したりするようにしている。
【００２５】
そして、上記防水器材７に充分な量の水１３（本発明者の実験により、１０本のバラの場合、１時間に所要水分は１０ｃｃぐらい）を注入して所要の切り花１の茎３を切ったその切り口４を前記柔軟性を有する袋状容器（防水器材７）内に挿入すると共に、保水材５に所要数挿入し、係止具９、１０を被係止部１１に固定して、図３のように段ボールの輸送容器６に収容する。そして、トラック等の運送車の荷台に輸送容器６を積載し、所要の場所へ配送するものである。
【発明の効果】
【００２６】
以上のように本発明にあっては、輸送する切り花の鮮度を維持できるものであり、また市場・小売店等制限のある場所では一時的に横積みもできる。従って、輸入品と差別化が図れる。
【００２７】
また、防水器材を柔軟性を有する袋状容器にて形成し、折り畳み自在や伸縮自在、膨縮自在に形成することによって、保管・リサイクル時などに折り畳んだり、縮めたりすることができる。
【００２８】
また、防水器材に係止器材を設け、輸送容器の上記係止部の対向部に被係止部を設けて、これらの係止部を被係止部に係止することによって、包装箱に容器を固定でき、切り花を傷まないように保護して輸送することができる。
【００２９】
さらに、防水器材と係止器材を分離可能に接続することによって、防水器材と係止器材とを別個に量産化できて、また係止器材のサイズを変えるだけで従来の包装箱に対応ができる。
【図面の簡単な説明】
【００３０】
【図１】本発明に係る切り花の輸送用装置の一実施例を使用状態を以って示す縦断面図。
【図２】（ａ）は上記輸送用装置を構成する輸送容器内に組み込む防水器材と係止器材の縦断面図、（ｂ）は同横側面図、（ｃ）は同平面図。
【図３】（ａ）は上記輸送用装置を構成する輸送容器内に組み込む防水器材と係止器材の他例を示す縦断面図、（ｂ）は同横側面図、（ｃ）は同平面図。
【符号の説明】
【００３１】
１…花、２…輸送用装置、３…茎、４…切り口、５…保水材、６…輸送容器、７…防水器材、８…係止器材、９，１０…係止具、１１…被係止部、１２…クッション、１３…水。
【手続補正２】
【補正対象書類名】図面
【補正対象項目名】図１
【補正方法】変更
【補正の内容】
【図１】
2004182342.tif 000001